(57)【特許請求の範囲】
【請求項１】
断面外形を円形状に形成したハンドピースの外側に装着され、該ハンドピースに保持したドリルを軸通させるドリルストッパであって、
該ドリルストッパは、弾性的に拡開して前記ハンドピースに外嵌可能であると共に、該ハンドピースに外嵌した状態で該ハンドピースに対して手動で回動操作可能に構成された円筒状部と、該円筒状部に一体的に設けられ術野に向けて延びた形状で、前記ドリルとドリルストッパ先端との境界を視認させる筒状先端部とを備えることを特徴とするドリルストッパ。
【請求項２】
前記筒状先端部は、前記ドリルとの境界部分が部分周壁となっていることを特徴とする請求項１に記載のドリルストッパ。
【請求項３】
前記円筒状部が、前記ハンドピースに外嵌する筒状の拡開部を有し、該拡開部には、前記ドリルの軸線方向に沿って延びた複数本のスリットが設けられていることを特徴とする請求項１または２に記載のドリルストッパ。
【請求項４】
前記円筒状部が、前記拡開部と、該拡開部に連なって前記ドリルの先端に向けて縮径する第１テーパ部と、該第１テーパ部に連なって前記ハンドピースの先端を覆う小径部と、該小径部に連なって前記ドリルの先端に向けて縮径すると共に前記筒状先端部に連なる第２テーパ部とを有することを特徴とする請求項３に記載のドリルストッパ。
【請求項５】
前記ドリルストッパが樹脂製であることを特徴とする請求項１〜４のいずれか１項に記載のドリルストッパ。
【請求項６】
請求項１〜５のいずれか１項に記載のドリルストッパを装着したハンドピースと、該ハンドピースに連結されると共に、該ハンドピースに交差してＴ字型に配置される把持ケースと、該把持ケースに装着され、前記ドリルを回転させるモータとを備えたことを特徴とする外科用骨穿孔ドリル。
【請求項７】
前記ハンドピースが、前記ドリルを締め付けて固定するチャック、および、該チャックを開閉させるハンドルを有し、前記ドリルがフットコントローラの踏み込みによって回転することを特徴とする請求項６に記載の外科用骨穿孔ドリル。
【請求項８】
前記ドリルが切削ドリルあるいはキルシュナー鋼線であることを特徴とする請求項６または７に記載の外科用骨穿孔ドリル。
【発明の詳細な説明】
【技術分野】
【０００１】
本発明は、ドリルストッパおよび外科用骨穿孔ドリルに関し、詳細には、断面外形を円形状に形成したハンドピースの外側に装着され、ハンドピースに保持したドリルを軸通させるドリルストッパおよび外科用骨穿孔ドリルに関する。
【背景技術】
【０００２】
一般に、管状骨（長管骨、長骨ともいう）は、上腕、前腕、大腿、下腿などの四肢骨格を構成する。管状骨の中央部分には軟質の骨髄腔があり、その周囲には硬質の皮質骨がある。
管状骨や鎖骨の骨折には複数本のスクリューを用いた外科的治療が知られている。この治療では二層皮質骨ドリリング（bicortical drilling）を行い、ドリルからみて手前側に位置する皮質骨（骨髄腔の表側に位置する皮質骨に相当する。手前側の骨皮質ともいう）、骨髄腔の順に貫通した後、ドリルからみて奥側に位置する皮質骨（骨髄腔の裏側に位置する皮質骨に相当する。対側の骨皮質ともいう）までを貫通するスクリュー孔を設けるが、ドリルが骨の裏側に過剰に侵入することによる神経、血管、筋腱組織などの損傷を防止しなければならない。
【０００３】
この場合、X線画像などで管状骨の直径を予め二次元的に計測し、ドリルの穿孔深度を穴あけ開始前に固定的チャック方式で調整しておき、手前側の骨皮質から対側の骨皮質の外壁までを一時に穴あけする旧来的な手法もある。しかし、この手法は事前の余分の計測手数を要するだけではなく、実際の様々な手術局面においてのドリル方向は、三次元的傾斜を伴うことが多く、事前計測の直径とドリル骨穿孔距離とには誤差を生じ、ドリル過剰侵入のリスクを充分に回避できない。それに対して、対側の骨皮質の内壁までを穴あけした後、ハンドル式チャック開閉によってドリルの穿孔深度を調整してから対側の骨皮質を穴あけする手法の方が骨穿孔距離の誤差が小さく抑えられ、ドリルの過剰侵入を防止しやすい。例えば、特許文献１には、対側の骨皮質の内壁までを穴あけした後に、ドリルの穿孔深度を調整可能なドリルストッパや外科用骨穿孔ドリルの技術が開示されている。ここで開示されているドリルストッパとは、外科用骨穿孔ドリル先端に連結する付加的器具であり、ドリルストッパ先端を手前側の骨皮質表面に当接させてドリルストップさせる方式となっている。
【先行技術文献】
【特許文献】
【０００４】
【特許文献１】特許第５２１０４５７号公報
【発明の概要】
【発明が解決しようとする課題】
【０００５】
しかしながら、上記特許文献１に記載の技術では、ドリルストッパがネジを用いて外科用骨穿孔ドリルの先端に固定されるので、ドリルストッパの取り付けや取り外しに、ドリルストッパを外嵌保持する手とネジを緩める（または締める）手の両手での操作が必要で煩わしいという問題がある。また、このドリルストッパには、その先端に、半円筒状の部分周壁を設けているが、上記ネジが緩められていない限り、この部分周壁を術者が見やすい位置に調整できないという問題がある。
【０００６】
本発明は、上述のような実情に鑑みてなされたもので、ハンドピースに容易に装着でき、かつ、操作も容易であるドリルストッパおよび外科用骨穿孔ドリルを提供することを目的とする。
【課題を解決するための手段】
【０００７】
上記課題を解決するために、請求項１の発明は、断面外形を円形状に形成したハンドピースの外側に装着され、該ハンドピースに保持したドリルを軸通させるドリルストッパであって、該ドリルストッパは、弾性的に拡開して前記ハンドピースに外嵌可能であると共に、該ハンドピースに外嵌した状態で該ハンドピースに対して手動で回動操作可能に構成された円筒状部と、該円筒状部に一体的に設けられ術野に向けて延びた形状で、前記ドリルとドリルストッパ先端との境界を視認させる筒状先端部とを備えることを特徴としたものである。
【０００８】
請求項２の発明は、請求項１の発明において、前記筒状先端部は、前記ドリルとの境界部分が部分周壁となっていることを特徴としたものである。
【０００９】
請求項３の発明は、請求項１または２の発明において、前記円筒状部が、前記ハンドピースに外嵌する筒状の拡開部を有し、該拡開部には、前記ドリルの軸線方向に沿って延びた複数本のスリットが設けられていることを特徴としたものである。
【００１０】
請求項４の発明は、請求項３の発明において、前記円筒状部が、前記拡開部と、該拡開部に連なって前記ドリルの先端に向けて縮径する第１テーパ部と、該第１テーパ部に連なって前記ハンドピースの先端を覆う小径部と、該小径部に連なって前記ドリルの先端に向けて縮径すると共に前記筒状先端部に連なる第２テーパ部とを有することを特徴としたものである。
【００１１】
請求項５の発明は、請求項１〜４のいずれか１の発明において、前記ドリルストッパが樹脂製であることを特徴としたものである。
【００１２】
請求項６の発明は、請求項１〜５のいずれか１の発明のドリルストッパを装着したハンドピースと、該ハンドピースに連結されると共に、該ハンドピースに交差してＴ字型に配置される把持ケースと、該把持ケースに装着され、前記ドリルを回転させるモータとを備えたことを特徴としたものである。
【００１３】
請求項７の発明は、請求項６の発明において、前記ハンドピースが、前記ドリルを締め付けて固定するチャック、および、該チャックを開閉させるハンドルを有し、前記ドリルがフットコントローラの踏み込みによって回転することを特徴としたものである。
【００１４】
請求項８の発明は、請求項６または７の発明において、前記ドリルが切削ドリルあるいはキルシュナー鋼線であることを特徴としたものである。
【発明の効果】
【００１５】
本発明によれば、ドリルストッパは円筒状部および筒状先端部からなり、円筒状部が弾性的に拡開してハンドピースに外嵌可能に構成されているため、術者はドリルストッパを片手でハンドピースに装着できる。また、円筒状部がハンドピースに対して手動で回動操作可能であるので、術者は、筒状先端部の部分周壁を術者自身が見やすい位置に容易に調整できる。これらの結果、速やかに穴あけを開始できて作業性が向上する。
【図面の簡単な説明】
【００１６】
【図１】本発明の外科用骨穿孔ドリルを含む骨手術用インスツルメントの外観斜視図である。
【図２】本発明のドリルストッパを装着する外科用骨穿孔ドリルの分解平面図である。
【図３】ドリルストッパを説明する図である。
【図４】ドリルストッパの装着状態を説明する図である。
【図５】外科用骨穿孔ドリルによるスクリュー孔の穿設を説明する図である。
【図６】外科用骨穿孔ドリルによるスクリュー孔の穿設を説明する図である。
【図７】外科用骨穿孔ドリルによるスクリュー孔の穿設を説明する図である。
【図８】他の実施例によるドリルの平面図である。
【発明を実施するための形態】
【００１７】
以下、図面を参照しながら本発明のドリルストッパおよび外科用骨穿孔ドリルについて説明する。図１は、本発明の外科用骨穿孔ドリルを含む骨手術用インスツルメントの外観斜視図、図２は、本発明のドリルストッパを装着する外科用骨穿孔ドリルの分解平面図、図３は、ドリルストッパを説明する図であり、図４は、ドリルストッパの装着状態を説明する図である。
【００１８】
図１に示すように、骨手術用インスツルメント１は外科用骨穿孔ドリル２を有し、外科用骨穿孔ドリル２はコード３を介して装置本体４に接続されている。
装置本体４の正面には例えば速度調整用ツマミ４ａなどが設けられ、また、装置本体４は、例えばその背面から引き出されたコード５を介してフットコントローラ６に接続されている。なお、速度調整用ツマミ４ａはフットコントローラ６を踏み込んだ際の最高速度を調整できる。
【００１９】
外科用骨穿孔ドリル２は、ハンドピース１０、把持ケース（ワイヤードライバともいう）２０、サージェリーモータ３０、ドリルストッパ４０、切削ドリル６０からなる。なお、サージェリーモータ３０が本発明のモータに相当し、切削ドリル６０が本発明のドリルに相当する。
【００２０】
図２に示すように、ハンドピース１０は、断面外形が円形状に形成された筒状のヘッド部１１を有している。ヘッド部１１の先端部分は前方（ドリルの先端方向、すなわち、術野に近接する方向。以下同じ）に向けて縮径しており、ヘッド部１１の前端には、筒状のドリルカバー１２が設けられている。ドリルカバー１２の先端部分も前方に向けて縮径している。
また、ヘッド部１１の側面には、回動軸１４を基準にして前後方向に回動可能なチャック開閉ハンドル１３が設けられている。なお、チャック開閉ハンドル１３が本発明のハンドルに相当する。
【００２１】
一方、ヘッド部１１の内部には、その図示は省略するが、切削ドリル６０を締め付けて固定するチャックや、このチャックを側方から押圧可能なキャップなどが設けられている。チャックは、例えばドリルの軸線方向に沿って延びたスリットの位置で分割され、チャックの側面が径方向外側に向けて拡がるテーパ状に形成されている（コレットチャックともいう）。キャップは例えばチャック開閉ハンドル１３の端部に連結されており、術者がこのハンドル１３を後方（術野から離間する方向。以下同じ）に引いた場合、キャップが前方にスライドしてチャックの側面に接触し、チャックをその中央に向けて押圧する。これにより、チャックが閉じて切削ドリル６０のシャンク６１を保持できる。
【００２２】
把持ケース２０は、筒状のハンドピース固定部２１およびグリップ部２２からなる。ハンドピース固定部２１には、ハンドピース１０のヘッド部１１の後方が複数個のネジ（図示省略）で連結される。ハンドピース固定部２１の内部には、ヘッド部１１内のチャックを回転させる回転軸（図示省略）などが設けられている。
グリップ部２２はハンドピース固定部２１の側方に配置されており、把持ケース２０はハンドピース１０に交差してＴ字型に配置される。これにより、術者は把持ケース２０のグリップ部２２を指と掌で掴んで作業でき、ハンドピースを指で掴んで作業する場合に比べて安定した穴あけができるため、穴位置精度が向上する。
【００２３】
サージェリーモータ３０は、例えばハンドピース１０に交差する方向から、把持ケース２０のグリップ部２２の内部に着脱自在に構成されている。このサージェリーモータ３０は交流電源の電力で駆動し、その回転は、ハンドピース固定部２１内の回転軸やヘッド部１１内のチャックを介して切削ドリル６０に伝達される。なお、交流電源の代わりに直流電源（バッテリ式、コードレス式）の電力駆動によるサージェリーモータを使用してもよい。
【００２４】
切削ドリル６０は、例えばハイスなどの工具鋼で形成され、ドリルカバー１２の中央部分やハンドピース固定部２１内の回転軸に挿通されると共に、ヘッド部１１内のチャックに保持される例えば中実丸棒のシャンク６１を有する。なお、後述のように、対側の骨皮質の内壁までを穴あけした後にドリルの穿孔深度を容易に調整できるように、シャンク６１の長さは、一般的な切削ドリルよりも長い、例えば２００ｍｍ程度に設定されている。
【００２５】
シャンク６１の前端にはドリル先端部６２が設けられている。ドリル先端部６２は円柱状の一次加工材（ブランク材ともいう。直径は例えば２ｍｍ程度）を例えば研削用ホイールで研削して形成される。詳しくは、研削用ホイールをシャンク６１の軸線に対して傾けて回転させ、研削用ホイールの例えば外周面のエッジがシャンク６１の前端に接触した場合に、シャンク６１を所定速度で回転させながら所定速度で前進させると、シャンク６１には１本目の切りくず排出溝６４が形成される。その後、シャンク６１を１８０°回転させて上記と同様に加工すると、２本目の切りくず排出溝６４が形成される。なお、ドリル先端部６２の強度を維持させるため、切りくず排出溝６４の長さは例えば１０ｍｍ程度に設定されている。また、山型の切れ刃６３は、例えば切りくず排出溝６４を形成した後、シャンク６１の前端を例えば仕上げ用の研削ホイールの正面で研削して形成される。
【００２６】
切削ドリル６０は、例えば、シャンク６１の後端をドリルカバー１２の前方からヘッド部１１、ハンドピース固定部２１の順に挿通させ、ドリル先端部６２をドリルカバー１２から突出させることで外科用骨穿孔ドリル２にセットされる。そして、チャック開閉ハンドル１３を把持ケース２０に向けて引いた場合、切削ドリル６０はヘッド部１１内のチャックに固定される。
【００２７】
また、サージェリーモータ３０は、図１で説明したフットコントローラ６の踏み込みによって駆動し、切削ドリル６０を回転させる。これにより、術者は、把持ケース２０およびチャック開閉ハンドル１３を掴んで穴あけ位置を決めた後、例えば引き金を引くような指をさらに動かす必要が無く、把持ケースおよびチャック開閉ハンドルを掴んだ状態のままで穴あけできるので、この点も穴位置精度向上に寄与する。なお、フットコントローラ踏み込み方式以外でも、把持ケースおよびチャック開閉ハンドルの操作に支障のない操作方式であれば目的を達せられる。例えば把持ケースを一側手の第３指と手掌で掴み、チャック開閉ハンドルを同側手の第４，５指で引き、同側手の第２指または第１指のボタン押し込みでサージェリーモータを駆動させる方式でもよい。
【００２８】
これに対し、チャック開閉ハンドル１３を離した場合、ヘッド部１１内のキャップが後方にスライドするため、切削ドリル６０はヘッド部１１内のチャックの締め付けから解放される。
なお、切削ドリル６０は、例えば、ドリル先端部６２を把持ケース２０の後方からハンドピース固定部２１、ヘッド部１１の順に挿通させ、ドリル先端部６２をドリルカバー１２から突出させてセットすることも可能である。また、外科用骨穿孔ドリルは、モータに替えてエアで切削ドリルを回転させる構造であってもよく、ヒトや動物の双方に使用可能である。
【００２９】
ドリルストッパ４０は、ドリルカバー１２の前方からハンドピース１０の外側に装着され、ヘッド部１１の先端付近、より詳しくは、ドリルカバー１２の先端からチャック開閉ハンドル１３の手前までを覆うことができる。また、ドリルストッパ４０は、樹脂製（例えばポリエーテル・イミド製）であるので、金属製の場合に比べて、ドリルストッパの外壁が患者の治療部位や、骨折領域を跨ぐように配置されたプレート（図示省略）、後述のドリルガイド（図示省略）に接触、あるいは、ドリルストッパの内壁がハンドピースに接触しても、これらは損傷し難くなる。また、ポリエーテル・イミド製で形成すれば、高圧蒸気によるオートクレーブ滅菌も可能である。
【００３０】
ドリルストッパ４０は、図３（Ａ）の斜視図に示すように、円筒状部４１と、筒状先端部５１とから構成され、図２に示したハンドピース１０に保持された切削ドリル６０を軸通可能である。
具体的には、図３（Ｂ）の断面図に示すように、円筒状部４１は、拡開部４２、第１テーパ部４４、小径部４５、第２テーパ部４６からなる。
【００３１】
拡開部４２は、その内径が図２で説明したヘッド部１１の側面の外径に略等しく形成され、図３（Ｃ）の底面図に示すように、例えば３本のスリット４３が等間隔で設けられている。各スリット４３は、ドリルの軸線方向に沿って延びており、拡開部４２の内壁と外壁とを貫通している。このように、拡開部４２が例えば三つ割型のソケットのように形成されているので、容易に拡開してヘッド部１１に装着でき、また、装着後はヘッド部１１から脱落し難くなる。
【００３２】
第１テーパ部４４は、拡開部４２に連なって前方に向けて縮径しており、図２に示したヘッド部１１の先端部分を覆っている。小径部４５は、第１テーパ部４４に連なって同じ径のまま前方に延びており、図２で説明したドリルカバー１２の側面を覆う。第２テーパ部４６は、小径部４５に連なって前方に向けて縮径し、ドリルカバー１２の先端部分を覆っている。また、第２テーパ部４６は、小径部４５とは反対側で筒状先端部５１に連なっている。
【００３３】
筒状先端部５１は、円筒状部４１に一体的に設けられ、この円筒状部４１や小径部４５よりもさらに細く形成されるが、その内径が図２に示したシャンク６１の外径よりもやや大きく形成されている。この径の段階的な細径化によって、ドリルストッパ先端すなわち筒状先端部とドリルシャンクとの境界を術者が見通しやすくなり、露出されるドリル軸長を視認可能となる。
この場合、ドリルシャンクが細く、筒状先端部の壁厚も薄ければ術者の見通しに関する問題は少ないため、図１以下に示した実施例のような半周カット部は不要である。しかし、ドリルシャンクが数ミリ以上の太さで、筒状先端部の壁厚が数ミリ程度に厚い場合には、筒状先端部とドリルシャンクとの境界は、術者の視線からは筒状先端部の口壁によって数ミリ程度隠されて見通し難くなる。その見通しを良くするために、図１以下に示した実施例のように、筒状先端部５１の前端には半周カット部５２を設けたものである。半周カット部５２は、シャンク６１と筒状先端部５１の前端との境界を見やすくするために、筒状先端部５１の周壁が部分的に除かれて半円筒状に形成されている。これにより、筒状先端部５１の前端から手前側の骨皮質まで（ドリルガイドを使用する場合にはドリルガイドまで）の距離を例えばミリ単位で術者が見通しやすくなる。なお、半周カット部５２が本発明の部分周壁に相当する。
【００３４】
このように、ドリルストッパ４０は円筒状部４１および筒状先端部５１からなり、円筒状部４１が弾性的に拡開してハンドピース１０に外嵌可能に構成されているため、術者はドリルストッパ４０を片手でハンドピース１０に装着できる。
また、円筒状部４１はハンドピース１０に対して術者が手動で回動操作可能であり、例えば穴あけを開始する際、術者が例えば右利きの場合には、図４（Ａ）に示すように半周カット部５２がハンドピース１０の左面、すなわちハンドピースを把持する右手に対しての術者の眼の位置である左側に配置されるように回動させ、術者が例えば左利きの場合には、図４（Ｂ）に示すようにハンドピース１０の右面に配置されるように回動させることができ、半周カット部５２を術者自身が見やすい位置に容易に調整できる。これらの結果、速やかに穴あけを開始できて作業性が向上する。
【００３５】
さらに、円筒状部４１が第１，２テーパ部４４，４６の２段階で縮径されており、術者はドリルストッパ４０の後方から半周カット部５２やシャンク６１などを見やすくなる。また、ドリルストッパ４０は切削ドリル６０と共に回転しないことから、ドリルストッパ４０が術野に達しても近隣の組織（例えば皮膚、神経、血管、筋腱組織など）を巻き込まない。
【００３６】
図５〜図７は、外科用骨穿孔ドリルによるスクリュー孔の穿設を説明する図であり、骨に対して垂直方向に延びたスクリュー孔を穿設する例を挙げて説明する。
まず、骨折箇所は例えばメスで皮膚を切開して露出されている。術者は、例えば片手で把持ケース２０を持ちながら、その指でチャック開閉ハンドル１３を引いて切削ドリル６０をハンドピース１０に保持する。穴あけ位置を決めたらフットコントローラ６を踏み込んで切削ドリル６０を回転させる。なお、把持ケース２０を持たない、もう一方の手では例えばドリルガイドを持つことができる。この場合、ドリルガイドを前側の骨皮質の表面に当てる。
【００３７】
次に、術者は、この回転した切削ドリル６０の先端を骨に向けて前進させ、図５に示すように、切れ刃６３や切りくず排出溝６４等で手前側の硬質の皮質骨Ｋ１を切削して比較的軟質の骨髄腔Ｍに到達すると、手前側の皮質骨Ｋ１などにはスクリュー孔Ｈが形成される。
その後、術者は、例えば自身の手に伝わる抵抗の変化や聞こえる音の変化を感知することによって、ドリル先端部６２が再び硬質の抵抗すなわち対側の骨皮質Ｋ２の内壁に到達したことは容易に判定され、その時点でフットコントローラ６の踏み込みを止め、切削ドリル６０を一時停止させる。
【００３８】
切削ドリル６０が停止した状態で、把持ケース２０を持った手の指をチャック開閉ハンドル１３から離して切削ドリル６０を解放する。
ここで、例えば管状骨などの外径は患者の体格によって大きく変動するが、皮質骨の厚みは解剖学的根拠から予測可能である。例えば、対側の骨皮質Ｋ２の厚みは、上腕、前腕、大腿、下腿などの手術部位などが変わっても２ｍｍ〜５ｍｍの範囲内の大きさであり、また、仮にドリルの穿孔角度を４５°に設定しても最大２ｍｍ程度長く設定すれば十分であると容易に予測できる。
【００３９】
そこで、チャック開閉ハンドル１３を離した切削ドリル６０を解放した状態において、把持ケース２０を片手で持ったまま、図６に矢印で示すように、ハンドピース１０を切削ドリル６０に沿って手前側の骨皮質Ｋ１に向けて降ろし、ドリルストッパ４０の筒状先端部５１の前端と手前側の骨皮質Ｋ１（あるいはドリルガイド、以下同じ）との距離を詰める。
【００４０】
術者は、筒状先端部５１の前端から手前側の骨皮質Ｋ１までの距離が、予測した対側の骨皮質Ｋ２の厚さになったと判定した場合、把持ケース２０を持った手の指で再びチャック開閉ハンドル１３を引いて切削ドリル６０を保持する。これにより、切削ドリル６０の穿孔深度の調整が完了する。
【００４１】
続いて、術者は穴あけを再開し、図７に示すように、ドリルストッパ４０の筒状先端部５１の前端が手前側の骨皮質Ｋ１に接触するまで、回転した切削ドリル６０の先端を前進させる。筒状先端部５１の前端が手前側の骨皮質Ｋ１に接触した時点で、切れ刃６３が骨の裏側に突出するがそれ以上は前進しないので、切削ドリル６０の過剰侵入を防止できる。
また、本発明の外科用骨穿孔ドリルによれば、対側の骨皮質Ｋ２や骨髄腔Ｍの穴あけ、切削ドリルの穿孔深度の調整、対側の骨皮質Ｋ２の外壁までの穴あけが術者の片手だけの連続的な操作で実現できる。
【００４２】
図８は、他の実施例によるドリルの平面図である。上記実施例では切削ドリルを用いた例を挙げて説明したが、本発明の外科用骨穿孔ドリルは、骨を固定する際に用いられるキルシュナー鋼線（Ｋワイヤともいう）７０も使用できる。このため、キルシュナー鋼線７０も本発明のドリルに相当する。
キルシュナー鋼線７０は、図２で説明した切削ドリル６０と同様に、ヘッド部１１内のチャックに保持される例えば中実丸棒のシャンク７１を有する。
【００４３】
シャンク７１の前端にはワイヤ先端部７２が設けられている。ワイヤ先端部７２も円柱状の一次加工材を例えば研削用ホイールで研削して形成される。例えば、研削用ホイールをシャンク７１の軸線に対して傾けて回転させ、研削用ホイールの例えば正面がシャンク７１の前端に接触した場合に、シャンク７１を所定速度で前進させると、シャンク７１には１本目のテーパが形成される。その後、シャンク７１を１８０°回転させて上記と同様に加工すると、２本目のテーパが形成される。また、シャンク７１の前端を例えば仕上げ用の研削ホイールの正面で研削すれば、山型に形成される。
【符号の説明】
【００４４】
１…骨手術用インスツルメント、２…外科用骨穿孔ドリル、３…コード、４…装置本体、４ａ…速度調整用ツマミ、５…コード、６…フットコントローラ、１０…ハンドピース、１１…ヘッド部、１４…回動軸、１２…ドリルカバー、１３…チャック開閉ハンドル、２０…把持ケース、２１…ハンドピース固定部、２２…グリップ部、３０…サージェリーモータ、４０…ドリルストッパ、４１…円筒状部、４２…拡開部、４３…スリット、４４…第１テーパ部、４５…小径部、４６…第２テーパ部、５１…筒状先端部、５２…半周カット部、６０…切削ドリル、６１…シャンク、６２…ドリル先端部、６３…切れ刃、６４…切りくず排出溝、７０…キルシュナー鋼線、７１シャンク、７２…ワイヤ先端部。
【図１】
0006503935.tif 000002
【図２】
0006503935.tif 000003
【図３】
0006503935.tif 000004
【図４】
0006503935.tif 000005
【図５】
0006503935.tif 000006
【図６】
0006503935.tif 000007
【図７】
0006503935.tif 000008
【図８】
0006503935.tif 000009